(57)【要約】【課題】  現場で分電盤などの壁などに吸着させるようにして、物理量の測定作業ができる測定器の保護ケースを提供する。【解決手段】  測定器１００を収納する測定器収容部１３と、ケース本体部を覆う蓋部２０と、ケース本体部と蓋部とを連結するヒンジ部３０とを有する保護ケースで、ケース本体部１１の底板部に磁石１７が固定されて、底板部の裏面が壁などに吸着させて測定ができる。【選択図】      図１
2020003299.tif 000002
【特許請求の範囲】
【請求項１】
略長方形状の底板部に立設された突起が形成する囲繞空間に測定器を収納する測定器収容部を備えたケース本体部と、前記ケース本体部の開口面を覆う蓋部と、前記ケース本体部と前記蓋部とを連結するヒンジ部とを備えた測定器の保護ケースであって、
前記ヒンジ部は、前記底板部の一短辺と前記蓋部の一短辺とを連結するものであって、
前記底板部には、磁石が取り付けられている
ことを特徴とする測定器の保護ケース。
【請求項２】
請求項１に記載の測定器の保護ケースであって、
前記測定器収容部は、前記底板部の内側に立設する複数の突起が前記測定器収容部の底板部側壁で形成され、
前記蓋部の内側であって前記測定器収容部の側壁に対応する位置に側壁が立設され、
前記測定器収容部および前記蓋部の一長辺側の外側にテストリードのプローブ部を収容するテストリード収容部が設けられ、
前記テストリード収容部のある前記底板部側壁には、一つのテストリードのプローブ部を保持するテストリード保持具が設けられ、
前記蓋部の周囲端部および底板部の周囲端部は、保護ケースを閉じたときに内側に起立した縁部が形成された
ことを特徴とする測定器の保護ケース。
【請求項３】
請求項２に記載の測定器の保護ケースであって、
前記底板部に設けられたテストリードのプローブ部を保持する保持具は、前記底板部側壁の前記プローブ部の接触子が保護ケースの外部に突出する位置に設けられ、爪状で前記プローブ部を挟んで保持できる形状である
ことを特徴とする測定器の保護ケース。
【請求項４】
請求項１から３のいずれか１項に記載の測定器の保護ケースであって、
前記蓋部の一部は、矩形状板が前記底板部から離れて回転させることが可能であり、前記測定器を斜めにおくときに、前記矩形状板を前記底板部の裏面に当てて、測定器が収容された状態の前記ケース本体部を支持する
ことを特徴とする測定器の保護ケース。
【請求項５】
請求項１から４のいずれか１項に記載の測定器の保護ケースであって、
前記蓋部の少なくとも前記測定器の表示部の位置に対応する領域は、透明または半透明である
ことを特徴とする測定器の保護ケース。
【発明の詳細な説明】
【技術分野】
【０００１】
本発明は、回路計などの測定器の保護ケースに関する。
【背景技術】
【０００２】
携帯型の回路計などの測定器は、テストリードとともに持ち運ぶ必要があることから、通常、測定器とテストリードとが携帯に便利なような測定器の保護ケースが用いられている。
図１０は、このような保護ケースの一例である。図１０は、見開き状に連結された一側カバー部１ａと他側カバー部１ｂとで保護ケース１を形成し、一側カバー部１ａの側に測定器２とテストリード７とを支持させ、他側カバー部１ｂを閉じた状態にして携行できるようにした手帳型の保護ケースを示すものである。なお、この場合、テストリード７は、プローブ８に、ケーブル（コード）９を連結して形成されているため、プローブ８と略同長となるように、ケーブル９を折り返した状態にして、たとえば面ファスナーを備えたバンドのような止着具３を用いて止められる。
一方、図１１の保護ケースは、測定器２を収納する一側カバー１ａにテストリード７を収納できる収納部を設け、ここにテストリード７を収納するとともに、この収納部にテストリード７のケーブルを巻き付けてテストリードを収納する。
図１２は、測定器と別体の保護ケースではなく、測定器２の筐体の外周側部に溝を設け、この溝内にテストリード７のケーブル９を巻き付けて収容するものである。
図１３は、測定器を磁石がついた吊り下げ具に取り付け、吊り下げ具を壁に磁石の作用で吸着させて、測定をしている使用状況を示すものである。
【先行技術文献】
【特許文献】
【０００３】
【特許文献１】特開平１０−２０６４６１号公報
【特許文献２】特開２００４−２５１８０５号公報
【発明の概要】
【発明が解決しようとする課題】
【０００４】
図１０に示す保護ケースでは、テストリードのケーブルを折り返して収納しなければならないので、ケーブルの収納が面倒であり、また、保護ケースや測定器との脱着が面倒である。
図１１に示す保護ケースでは、保護ケースにケーブルを巻き付けるので、ケースを閉じた状態でもケーブルが保護ケースの外に露出している。このため、作業中や作業のために携行しているときに、ケーブルが外部の他の部材と擦れ合って、ケーブルが傷つくおそれがある。
また、図１２の測定器本体にケーブルを巻き付けるものでは、測定器の筐体が傷つくおそれがあり、また、コンパクトさを保つために、ケーブルの長さを短くする必要がある。
【０００５】
さらに、携帯型の測定器は、必ずしも卓上で使用されるわけではなく、壁などに取り付けて測定したい場合も生ずる。たとえば、配電盤などで電圧を測定しようとするときに、測定器から手を離して測定したい場合があっても、測定器をたとえば配電盤の壁に取り付けるようなものがないと、測定器を手でもって測定せざるをえない場合がある。
見開き手帳方式の図１０に示される保護ケースに測定器が収容されている場合には、テストリードのプローブ部を保護ケースから突出させて保持する保持手段がないため、２本のテストリードのプローブ部を箸をもつように、右手で持ち、左手で保護ケースをもって測定するという安全性に問題があることも行われていた。
【０００６】
図１３に示すような磁石を有する吊り下げ具で測定器を吊り下げて測定する場合、測定器を手で持つ必要はなく、２本のテストリードのプローブ部を一方の手で持つことはないので、安全性には問題はないが、測定器自体は固定されていないので、作業中に揺れたりして、作業の妨げになる可能性があり、作業性がよくなかった。また、見開きの手帳型の保護ケースでは、一体成形で製造することは難しいので、その分、安価に製造できなかった。
【０００７】
本発明は上述の課題を解決するためのもので、測定器を収容した保護ケースを壁などに固定できるので、現場での測定作業の安全性をたかめ、作業の効率を高めることができる護ケースを提供することを目的とする。
【０００８】
本発明の第１の側面は、略長方形状の底板部に立設された突起が形成する囲繞空間に測定器を収納する測定器収容部を備えたケース本体部と、ケース本体部の開口面を覆う蓋部と、ケース本体部と蓋部とを連結するヒンジ部とを備えた測定器の保護ケースであって、ヒンジ部は、底板部の一短辺と蓋部の一短辺とを連結するものであって、底板部には、磁石が取り付けられていることを特徴とする。
【０００９】
また、本発明は、測定器収容部は、底板部の内側に立設する複数の突起が測定器収容部の底板部側壁で形成され、蓋部の内側であって測定器収容部の側壁に対応する位置に側壁が立設され、測定器収容部および蓋部の一長辺側の外側にテストリードのプローブ部を収容するテストリード収容部が設けられ、テストリード収容部のある底板部側壁には、一つのテストリードのプローブ部を保持するテストリード保持具が設けられ、蓋部の周囲端部および底板部の周囲端部は、保護ケースを閉じたときに内側に起立した縁部が形成されたことができる。
【００１０】
また、本発明は、底板部に設けられたテストリードのプローブ部を保持する保持具は、底板部側壁のプローブ部の接触子が保護ケースの外部に突出する位置に設けられ、爪状でプローブ部を挟んで保持できる形状であることができる。
【００１１】
また、本発明は、蓋部の一部は、矩形状板が底板部から離れて回転させることが可能であり、測定器を斜めにおくときに、矩形状板を底板部の裏面に当てて、測定器が収容された状態のケース本体部を支持することができる。
【００１２】
さらに、本発明は、蓋部の少なくとも測定器の表示部の位置に対応する領域は、透明または半透明であることができる。
【発明の効果】
【００１３】
本発明によれば、測定器を収容した保護ケースを壁などに固定できるので、現場での測定作業の安全性をたかめ、利便性を高めることができる。また、テストリードのプローブ部やケーブルを保護ケース内に収納でき、外部に露出することはないので、携行時などに他の部材と擦れ合って傷付くおそれがなくなる。
【図面の簡単な説明】
【００１４】
【図１】測定器、テストリードがない保護ケースを開いた状態を示す斜視図である。
【図２】測定器を収納して、保護ケースを縦に開いた状態を示す図である。
【図３】テストリードのプローブ部を収納して保護ケースを閉じた状態を示す図である。
【図４】測定器を収納し、１本のテストリードを保持してプローブ部の接触子を突出させた状態を示す図である。
【図５】蓋部を折り返し、保護ケースを傾けて自立させた状態を示す図である。
【図６】保護ケースの本体部のテストリードの収容部を説明する図であり、（Ａ）は、上面からみた図であり、（Ｂ）は、Ａ−Ａ視の断面図であり、（Ｃ）は、Ｂ−Ｂ視の断面図である。
【図７】テストリードのプローブ部を収納して保護ケースを閉じた状態を示す断面図である。
【図８】保護ケースを閉じてテストリードのない状態を示す側面図であり、（Ａ）は、右側面図であり、（Ｂ）は、左側面図である。
【図９】蓋部の矩形部を説明する図であり、（Ａ）は、その平面図であり、（Ｂ）は、軸受けの部分を示す図である。
【図１０】従来の手帳型保護ケースを示す図である。
【図１１】従来の手帳型保護ケースを示す図である。
【図１２】従来のテストリードのケーブルを収納する例を示す図である。
【図１３】吊り下げ具で測定器を吊り下げている状態を示す図である。
【発明を実施するための形態】
【００１５】
以下図面を参照して本発明に係る測定器の保護ケースの実施形態を説明する。
図１は、保護ケースに測定器とテストリードとを収納していない状態で、保護ケースを開いた状態を示す斜視図である。図２は、測定器を収納して保護ケースを縦に開いた状態を示す図である。図３は、テストリード（ケーブルは図示せず）を収納して、保護ケースを閉じた状態を示す図である。図４は、１本のテストリードのプローブ部を保護ケースに保持して、プローブ部の接触子を保護ケースの外部に突出させた状態を示す図である。
【００１６】
図１および図２に示されるように、保護ケース１０は、測定器１００が収納されるケース本体部１１と、このケース本体部１１の開口面を覆う蓋部２０と、この蓋部２０をケース本体部１１に対して開閉自在に連結するヒンジ部３０とで構成されている。ヒンジ部３０は、長方形のケース本体部１１の一短辺と蓋部２０の一短辺とを連結するもので、保護ケース１０は、ケース本体部１１と蓋部２０とが測定器１００に対して縦に開閉可能な形状となっている。
なお、ここで、開いた状態の保護ケース１０のケース本体部１１の底板部１２の測定器が収納されて現れる側を底板部１２の表面、裏側を底板部１２の裏面と称する。また、測定器１００の表示部１０１がある方向を保護ケースの上側とし、測定器１００の操作部１０２がある方向を下側という。
【００１７】
図１および図２に示すように、保護ケース１０のケース本体部１１には、底板部１２の縁から内側の位置に立設される側壁１４ａ、１４ｂ、１４ｃ、１４ｄと底板部１２とが形成する平坦な立方形状の囲繞空間に測定器１００が収納される測定器収容部１３と、テストリードのプローブ部を収納するテストリードの収容部とが設けられている。測定器の収容部１３は、底板部１２に立設された側壁１４ａ、１４ｂ、１４ｃ、１４ｄによってほぼ長方形に画されている。
【００１８】
側壁１４ａは、図１、図２の測定器の収容部１３の左辺全部および上下の短辺の一部に及んで立設されており、上下の２箇所に、測定器１００を係合するため、内側に先端が爪状に突出した係合用突起１８ａ、１８ｂが設けられている。側壁１４ｂは、収容部の上辺から右辺の一部にかけて立設されており、側壁１４ａと側壁１４ｂとの間には、側壁１４ａ、１４ｂより上辺側に壁が立設され、側壁１４ａと側壁１４ｂの延長部分は、溝状になって、蓋部２０との係合のための係合用溝１５が設けられている。
側壁１４ｂの右辺の上側には、側壁から、外側に向け、爪状に湾曲した突起であって、テストリードのプローブ部を底板部１２との間で挟持することが可能な保持具１６が設けられている。
測定器の収容部１３の右辺の中央付近には、側壁１４ａ、１４ｂ、１４ｄよりも高さがあり、その先端は、外側および内側に突出した側壁１４ｃが設けられている。側壁１４ｃは、測定器１００を係止する係止用突起としても機能する。側壁１４ｄは、測定器収容部１３の右辺下側から下辺へかけて湾曲して、ヒンジ部３０に至る部分に立設されている。
【００１９】
テストリードの収容部は、図１、図２の測定器収容部１３の右側に形成される。側壁１４ｂ、１４ｃ、１４ｄの右辺から底板部１２の右辺端部までに平坦な幅が設けられており、この部分がテストリードの収容部になる。テストリードのプローブ部１１０のバリア部は、底板部１２の切欠き１９に嵌められて保持される。このときは、テストリードのプローブ部１１０の接触子、バリア部は、保護ケースの中に保持されて保護ケースの外部には露出しない。テストリードのプローブ部１１０は、保持具１６で保持されるときは、先端の接触子が保護ケースの外に突出して固定することができる。このように、テストリードのプローブ部１１０は、保持具１６、切欠き１９のいずれかで保持することで、保持される位置を変更することができる。また、もう１本のテストリードのプローブ部１１１は、保護ケース１０が閉じられたときに、対向する蓋側の切欠き２６にバリア部が嵌められて保持される。テストリードのケーブルは、保護ケース１０を閉じた状態で、側壁１４ａ、１４ｂ、１４ｄが底板部１２の端との間に形成されている空間部分に巻き付けて収納される。このテストリードの収納構造については別途後述する。
【００２０】
底板部１２のケース本体部１１のほぼ中心の縦方向に、２つの円形の凹部１７ａ、１７ｂが設けられている。この凹部１７ａ、１７ｂに、磁石（永久磁石）４２ａ、４２ｂが入れられ、底板部１２に磁石４２ａ、４２ｂが取り付けられる。測定器１００は、係合用突起１８ａ、１８ｂ、側壁１４ｃによって測定器収容部１３に嵌め込まれる形で固定されるので、磁石４２ａ、４２ｂは、底板部１２と測定器の裏面との間で固定されて、取り付けには、接着やネジ留めをする必要がない。
【００２１】
蓋部２０には、ケース本体部１１の測定器の収容部の側壁１４ａ、１４ｂ、１４ｄが形づくる長方形の反対側の部位に側壁２１ａ、２１ｂ、２１ｃ、２１ｄが設けられている。側壁２１ａ、２１ｂ、２１ｃ、２１ｄの端面は、ケース本体部１１側の側壁１４ａ、１４ｂ、１４ｄの端面と体面合致するように端面が形成されている。また、側壁２１ａ、２１ｂ、２１ｃ、２１ｄの高さは、ケース本体部１１側の側壁１４ａ、１４ｂ、１４ｄとほぼ同じであり、ケース本体１１側の側壁の高さと蓋部側の側壁の高さが合わさって測定器１００を収納する空間の高さを作っている。ケース本体１１側の側壁１４ｃの位置には、蓋部２０側に側壁が設けられておらず、ケース本体１１と蓋部２０とを閉じたときは、側壁１４ｃは側壁が設けられていない部分に合わさる。
【００２２】
ケース本体部１１の側壁１４ａの係止用突起１８ａ、１８ｂに対応する蓋部２０の側壁２１ａの体面合致する位置には、切欠き２４ａ、２４ｂが設けられており、ケース本体部１１の側壁の係合溝部１５と体面合致する位置には、係止用突起２５が立設している。ケース本体部１１と蓋部２０とを合せて、保護ケース１０を閉じるときは、溝１８と係止用突起２５とが係止され、係止用突起１８ａが切欠き２４ａに、係止用突起１８ｂが切欠き２４ｂの部分に入る。
【００２３】
ヒンジ部３０は、ケース本体部１１の一短辺と、蓋部２０の一短辺とを連結しており、それぞれ、ケース本体部１１と蓋部２０とが、測定器１００を収納して保護ケース１０を閉じたときの高さ分の長さ（ケース本体部と蓋部とを繋ぐ長さ）を有している。このヒンジ部３０は、ケース本体部１１と蓋部２０とが開閉可能なように動作できればよいので、この実施の形態では、それぞれ蝶番でケース本体部１１、蓋部２０と結合され、蝶番間は、板状部材で連結されている。ヒンジ部３０は、ケース本体部１１と蓋部２０とが開閉可能に連結されていればよいので、可撓性のあるテープのようなもので連結されてもよく、連結の構造には特に限定はない。
【００２４】
なお、この実施の形態では、ケース本体部１１、蓋部２０は、硬質の樹脂材料で形成しており、たとえばＡＢＳ樹脂などで射出成形することができる。また、かならずしも硬質な樹脂材料でなくともよい。蓋部２０は透明あるいは半透明な樹脂で構成しており、保護ケース１０を閉じているときでも中に収納された測定器１００をみることができる。操作部１０２の部分まで透明である必要性はないが、少なくとも表示部１０１の表示はみえるような材料で製造されている。
【００２５】
次に図２、図４、図５を参照して、保護ケースを用いて測定を行う形態について説明する。
図２に示すように、保護ケース１０のケース本体部１１側に測定器１００を収納した状態で蓋部２０を空け、このケース本体部１１をたとえば配電盤などの磁気作用により吸着可能な金属製の壁に取り付け、測定器にはテストリードのケーブルを接続し、テストリードのプローブ部１１０、１１１を両手でもって、測定対象体の端子に当てて、電圧などを測定することができる。ケース本体部１１の底板部１２には、磁石４２ａ、４２ｂが取り付けられているので、その磁気作用により、ケース本体部１１を壁に取り付けることができる。本実施の形態では、磁石４２ａ、４２ｂは、底板部１３の表面側の凹部１７ａ、１７ｂに取り付けられており、底板部１３の裏面には露出させていない。金属体である磁石１７ａ、１７ｂが保護ケース１０の表面に露出することで、測定器１００が高電圧等を測定するものであると、感電等の危険を避けることができる。また、本実施の形態では、磁石はふたつ取り付けることとしたが、測定器を収納した保護ケースを壁に吸着できる力があればよいので、磁石の数には限定はなく、１つでもよいし、複数でもよい。ただし、１つの場合には、保護ケース１０の全体の安定性からして、底板部１３の中央部分に取り付けるのがよい。
【００２６】
図４は、１本のテストリードのプローブ部１１０の接触子（金属製のピン）が保護ケース１０の上側に突出できるように保持させた例である。１本のテストリードのプローブ部の中程を保持具１６に嵌めることで、接触子を保護ケースの外に露出させることができる。この場合には、保護ケース１０をたとえば左手にもって、保護ケース１０に保持して外部に突出させたテストリードのプローブ部１１０の接触子を測定対象体の一つの端子にあて、もう一方のテストリードのプローブ部１１１を右手にもって、そのプローブ部１１１の接触子を測定対象体の別の端子に当てて測定を行う。
このようにして、一方の手でふたつのテストリードのプローブ部をもって測定を行う必要性はなくなる。
なお、ここでは、テストリードのケーブルは図示を省略してある。実際には、１本のテストリードのケーブルは、測定器１００の右下にある接続端子に接続され、もう１本のテストリードのケーブルも測定器１００の右下にある接続端子に接続されている。
【００２７】
図５は、卓上などで、保護ケース１０と測定器１００を立て掛けて、測定作業を行う場合の使用例を説明する図である。
蓋部２０の矩形部２３は、矩形の下側（ヒンジ部３０で連結する方向の反対側）は、上部は蓋部２０から外れて回転することができる。このため、図５に示すように、蓋部２０を折り返したときに、矩形部２３を蓋部２０から回転させて、ケース本体部１１の裏面に当てて、ケース本体部を立て掛けることができる。ケース本体部１１に収納されている測定器１００を斜めにして測定を行うことができるので、机上に保護ケース１０に測定器１００を収納した状態で測定作業を行うことができる。
【００２８】
次に、図６、図７を参照して、テストリードの収納構造を説明する。
図６は、ケース本体部１１のテストリードのプローブ部を収納するテストリードの収容部の構造を説明する図であり、図６（Ａ）は、ケース本体部１１の表面からみた図であり、図６（Ｂ）は、図６（Ａ）のＡ−Ａ視断面図であり、図６（Ｃ）は、Ｂ−Ｂ視断面図である。
図６（Ａ）、図６（Ｂ）、図６（Ｃ）に示すように、側壁１４ｂ、側壁１４ｃが立設された位置から底板部１２の右端部までに、テストリードのプローブ部１１０を収納できる幅の空間が作られている。そして、底板部１２の上側の側壁１４ｂの側部には、爪状に湾曲を有し、内部にテストリードのプローブ部１１０を接触子が保護ケース１０の外に突出できるように保持できる保持具１６が側方に立設されている。また、底板部１２の端部は、断面図に表されているように、縁が隆起して蓋部２０側に向き合うような凸状の縁部４０が象られる。
【００２９】
図７は、ケース本体部１１と蓋部２０とが合わさって保護ケース１０が閉じられているときにテストリードのプローブ部１１０と１１１とが収納されている状態を説明する断面図である。
この図８に示すように、テストリードのプローブ部１１０は、ケース本体部１１側の側壁１４ｂ〜１４ｄと底板部の縁部４０との間の空間であって、側壁１４ｂ〜１４ｄに付けて収納され、プローブ部１１１は、蓋部２０の側壁２１ｂ、２１ｃと縁部４１との間の空間であって、側壁２１ｂ、２１ｃに付けて収納される、なお、この図７では、テストリードのケーブルについては図示していないが、プローブ部１１０、１１１と縁部４０、４１との間に巻き取られて保持されており、縁部４０、４１の外部には露出しない。
【００３０】
図８は、テストリードを保持していない状態で、保護ケース２０を閉じた状態を説明する図であり、図８（Ａ）は、保護ケース１０の右側面図であり、図の右側が保護ケース１０の上部となり、左側にヒンジ部３０がある。図８（Ｂ）は、保護ケース１０の左側面図である。
図８（Ａ）に示されるように、ケース本体部１１の側壁１４ｂ、１４ｃ、１４ｄは、蓋部２０の側壁２１ｂ、２１ｃと体面合致する。また、ケース本体部１１の側壁１４ａは、蓋部２０の側壁２１ａと体面合致する。係合用突起１８ａは、切欠き２４ａの部分に入り、係合用突起１８ｂは、切欠き２４ｂの部分に入る。
また、図８（Ａ）、（Ｂ）に表されるように、保護ケース１０の上端側は、底板部１２、蓋部２０が鍔状に張り出しており、側壁と端部との間に空間が形成され、しかも縁が縁部で凸状に象られている。同様に保護ケース１０の下端側のヒンジ部３０も、底板部１２と蓋部２０とが鍔状に張り出しており、縁との間に空間が形成されている。さらに、保護ケース１０の測定器１００を収納する収容部の左側の側壁１４ａ、２１ａ、２１ｄと縁との間にも空間が形成されている。このため、保護ケース１０にテストリードのプローブ部を収納し、テストリードのケーブルを保護ケースの外周に巻き付けても、ケーブルは、保護ケース１０の縁から中に収納されるため、保護ケース１０の外には、露出しない。
【００３１】
図９は、蓋部２０の矩形部２３を説明する図であり、図９（Ａ）は、矩形部２３が蓋部２０に取り付けられている状態を示す図であり、図９（Ｂ）は、矩形部２３が蓋部２３から離れて回転できる軸受の構造を示す図である。矩形部２３は、ほぼ四辺形であり、その一辺の両端は、軸２７が形成されて、この軸２７は、蓋部２０に設けられた軸受２８に軸支されている。これにより、矩形部２３は、蓋部２０に対して回転可能になっており、矩形部２３の他端を蓋部２０から外して回転させ、その他端をケース本体部１１の裏面に当接させて、蓋部２０を平面において、ケース本体部１１を立て掛けることが可能となっている。
【００３２】
（本発明の効果）
測定器１００は、ケース本体部１１の側壁１４ａの係止用突起１８ａ、１８ｂ、および側壁１４ｃによって収容部に固定される。磁石４２ａ、４２ｂは、測定器１００と底板部１２とに挟まれて固定することができる。このため、磁石を固定するための接着やネジ止めを必要としない。磁石の着脱が容易であり、必要に応じて磁石の有無を選択できる。机上で測定するなど、壁に取り付ける必要のないときなどは、磁石を外して使用することができる。
逆に配電盤などで測定作業をするときなどは、磁石により配電盤などの壁に保護ケースを取り付けて、測定することができるので、測定作業が容易となり、利便性が高まる。また、縦に開く保護ケースであって、蓋部２０は、測定器の下方になるので、壁に保護ケースを取り付けて固定したとき、見開き方式の保護ケースの蓋のように測定の邪魔にならない利点がある。
【００３３】
保護ケースの上下、左右の面は、いずれも、蓋部２０と底板部１２とが鍔状にでており、テストリードのケーブルは、その鍔の中に収納されて、保護ケースの外側には露出しないので、作業袋などに保護ケースが収納されたときでも、他の部材などとケーブルが擦れ合って損傷するおそれはない。
保護ケースに設けられた切欠き１９、２６にテストリードのプローブ部のバリア部を挟むことができるので、安定的に、プローブ部を固定することができる。また、保持具１６により、テストリードのプローブ部の接触子を保護ケースの外に突き出して固定することができるので、保護ケースにテストリードを嵌めたまま、測定対象体の端子にテストリードを接触させることができる。また、保持具１６、切欠き１９というように、プローブ部のバリア部の位置が複数種類となるようにできるので、測定カテゴリが変換可能なテストリードを固定することが可能である。
保護ケースを一定角度で立て掛けて自立させることができるため、机上で測定作業をする際に、測定器の表示を視認しやすくなる。
テストリードの一方を保護ケースに固定して装着できるため、一方の手で保護ケースをもち、他方の手でもう一方のテストリードをもって測定するという測定作業をすることが可能である。
蓋部は、透明あるいは半透明の材料となっているので、蓋部を閉じた状態でも測定器の表示を確認することができる。
【符号の説明】
【００３４】
１０    保護ケース
１１    ケース本体部
１２  底板部
１３  測定器収容部
１４ａ  １４ｂ、１４ｃ、１４ｄ  底板部の側壁
１５  係合溝
１６  保持具
１７ａ、１７ｂ  凹部（磁石挿入用）
１８ａ、１８ｂ    係合用突起
１９  切欠き
２０  蓋部
２１ａ、２１ｂ、２１ｃ、２１ｄ  蓋部の側壁
２２  蓋部収容部
２３  矩形部
２４ａ、２４ｂ  切欠き
２６、２７  切欠き
３０  ヒンジ部
４０、４１  縁部
４２ａ、４２ｂ  磁石
１００  測定器
１０１  表示部
１０２  操作部
【図１】
2020003299.tif 000003
【図２】
2020003299.tif 000004
【図３】
2020003299.tif 000005
【図４】
2020003299.tif 000006
【図５】
2020003299.tif 000007
【図６】
2020003299.tif 000008
【図７】
2020003299.tif 000009
【図８】
2020003299.tif 000010
【図９】
2020003299.tif 000011
【図１０】
2020003299.tif 000012
【図１１】
2020003299.tif 000013
【図１２】
2020003299.tif 000014
【図１３】
2020003299.tif 000015